(57)【要約】      （修正有）【課題】有形物の移動作業を簡単に行えるように昇降機能付き車両搭載用の容器における蓋の開閉構造を提供する。【解決手段】有底で上部を開放し、前面に蓋部３を有する可動容器本体１を設け、可動容器本体１は、底部に運搬用車両Ｘに搭載する搭載手段２ａを備えた枠体２で取り囲まれ、該可動容器本体１の底部は後部より前に位置する蓋部３方向に向かって下降する傾斜面に形成し、可動容器本体１は該可動容器本体１を取り囲む枠体２に回動可能に軸着され、可動容器本体１と蓋部３とがリンク機構連結され、重量のバランスで蓋部３が開き、蓋部３を閉塞するには、枠体２が下降することにより、可動容器本体１の下部に取り付けたキャスター９が接地面から押上圧力により押し上げられ、可動容器本体１が上方向に押し戻され、その結果、リンク機構に連動して、蓋部３は閉まり係止手段により、係止され、枠体２も着地し、元の状態に閉塞する。【選択図】図３
2019156638.tif 000002
【特許請求の範囲】
【請求項１】
昇降機能を有する運搬用車両（Ｘ）に搭載する有形物回収用の容器であって、有底で上部を開放し、前面に蓋部（３）を有する可動容器本体（１）を設け、該可動容器本体（１）は、底部に運搬用車両（Ｘ）に搭載する搭載手段（２ａ）を備えた枠体（２）で取り囲まれ、該可動容器本体（１）の底部（１ａ）は、後部より前部に位置する蓋部（３）方向に向かって下降する傾斜面に形成し、該可動容器本体（１）は、該可動容器本体（１）を取り囲む前記枠体（２）の両側部（２ｂ、２ｂ’）に、回転可能に軸着され、且つ、該可動容器本体（１）と蓋部（３）間にリンク機構（４）を有する開放手段（１０）を設けると共に、該可動容器本体（１）の蓋部（３）は、枠体（２）の両側部の上端部（２ｃ、２ｃ’）で回動可能に軸着され、該蓋部（３）の両側部の上端部（２ａ，２ａ’）に設けた軸（４ｆ）と、それぞれリンクアーム（４ａ）と軸アーム（４ｂ）をリンク軸（４ｃ）で軸支したリンク機構（４）を有した、開放手段（１０）介して、可動容器本体（１）に回動可能に軸着され、有形物（Ａ）の回収時に前記蓋部（３）は、該蓋部（３）を枠体（２）に係止した係止手段（５）により閉塞しておき、有形物（Ａ）は、蓋部（３）の開放時に、前記係止手段（５）を開口手段（６）によって開放し、有形物（Ａ）を、車両の荷台あるいは受入れ容器等の受入れ容器（Ｙ）に排出し、蓋部（３）を押圧することにより閉口することを特徴とする昇降機能付き車両搭載用容器における蓋の開閉構造。
【請求項２】
昇降機能を有する運搬用車両（Ｘ）に搭載する有形物（Ａ）の回収用の容器であって、有底で上部を開放し、前面に蓋部（３）を有する可動容器本体（１）を設け、該可動容器本体（１）の底部には、運搬用車両（Ｘ）に搭載する搭載手段（２ａ）を備えた枠体（２）で取り囲まれ、該可動容器本体（１）の蓋部（３）が、ステアリングバー（４ｄ）を介して、枠体（２）の両側部の上端部（２ｃ、２ｃ’）と蓋部（３）のやや下方に回転可能に軸着されたことを特徴とする請求項１記載の昇降機能付き車両搭載用容器における蓋の開閉構造。
【請求項３】
前記枠体（２）の両側部（２ｂ、２ｂ’）に、可動容器本体（１）を軸着する位置（α、α’）が、可動容器本体（１）の後部で、且つ、可動容器本体（１）の底部（１ａ）の傾斜面の頂部（１ｂ）近傍に設けることを特徴とする請求項１記載の昇降機能付き車両搭載用容器における蓋の開閉構造。
【請求項４】
係止手段（５）前記枠体（２）に、該フック本体（５ｂ）とフックハンドル（５ｃ）からなるフック装置（５ａ）の中央部を、フック軸（５ｄ）として、回転自在に軸支し、該フック装置（５ａ）の先端には、蓋部（３）に設けた金具（３ａ）を係止する係止爪（５ｅ）を設け、該フックハンドル（５ｃ）を形成したことを特徴とする請求項１記載の昇降機能付き車両搭載用容器における蓋の開閉構造。
【請求項５】
開放手段（１０）が、可動容器本体（１）側に、容器側スプロケット歯車（１１ａ）を設け、蓋部（３）側に蓋側スプロケット歯車（１１ｂ）を設け、チェーン（１１ｃ）を巻回することを特徴とする請求項１記載の昇降機能付き車両搭載用容器における蓋の開閉構造。
【請求項６】
開放手段（１０）が、可動容器本体（１）側に、容器側歯車（１２ａ）を設け、蓋部（３）側に蓋部側歯車（１２ｂ）を設け、これら両歯車（１２ａ，１２ａ’）を噛みあわせることを特徴とする請求項１記載の昇降機能付き車両搭載用容器における蓋の開閉構造。
【請求項６】
枠体２を下降することにより、可動容器本体１の前面下部にキャスター９を設けた容器本体１と蓋部３が連結可動し、キャスター９が接地面に着地して枠体２の下降接地面反発力圧力により、容器本体１は回転して押上戻され、蓋部３も回転して蓋部３が閉じる請求項１〜５項の蓋の閉閉構造。
【発明の詳細な説明】
【技術分野】
【０００１】  この発明は、昇降機能付き車両搭載用容器における蓋の開閉構造に関するものであり、特に、フォークリフトに搭載したゴミ回収用容器の蓋の開閉構造に関する。
【背景技術】
【０００２】  従来、空き缶や、複数の空き缶を収納した袋等のごみ収集運搬車等による積み込み作業は、回収したごみを運搬車の荷台の箱の上まで持ち上げ、作業員が回収したごみを運搬する車両の荷台に上がり、該作業員の手により箱の蓋を開けて、ごみを取り出していた。【０００３】  しかも、これらの箱は、作業現場には多数存在し、毎回、その容器の数だけ荷台に上がる必要があり、この同様の作業を繰り返して作業員が行っており、その作業は極めて煩雑であり、しかも作業時間も増え、作業員の安全性や衛生面にも多くの問題があった。【０００４】  また、従来の、容器本体をフォークリフトで吊り上げる構造のものは存在するが、容器本体は底部が開き、この開いた箇所から有形物を落下させる構造となっており、フォークリフトを使用する場合、フォークリフトのフォークを差し込む穴部は、必然的に容器本体の上部に形成しなければならず、容器の高さによっては、フォークリフトの昇降可能な長さは限定されるため、高い場所に位置する容器まで届かないものであった。【０００５】  さらに、回収容器は、前面が開く構造のものも存在するが、フォークリフトで上昇させた回収された、有形物と共に、該回収容器に作業員が同乗して、容器の前面を開き、その開いた面よりごみを運搬車の荷台の箱に落下させており、その作業も煩雑であった。
【発明の概要】
【発明が解決しようとする課題】
【０００６】  そこで、この発明の課題は、空き缶等の有形物を回収する際、ごみの移動作業を簡単に行える昇降機能付き車両搭載用容器における蓋の開閉構造を開発・提供することである。
【課題を解決するための手段】
【０００７】  そして、この発明は、昇降機能付き車両である、フォークリフトに、枠体と該枠体内に可動容器本体を搭載し、作業員が上方に登らなくても、簡単に作業のできる昇降機能付き車両搭載用容器における蓋の開閉構造にある。
【発明の効果】
【０００８】  この発明によると、可動容器本体１と枠体２に設けた開口手段６を、地上より簡単な動作により開口できるため、その都度、車両上の荷台の受入れ容器、あるいは、作業場にある受入れ容器上に登って、有形物８の排出作業をする必要がなく、極めて省力的であり、かつ便利ある等の極めて優れた効果を奏する。【０００９】  さらに、開放手段１０により、前記可動容器本体１の蓋部３を大きく開口することができ、本体内の有形物Ａを一気に排出することができ、作業が容易であると共に、ごみがすべて排出されるため、衛生的である等の効果を有する【００１０】  さらに、この発明は、前記可動容器本体１の蓋部３の係止手段５を用いることにより、有形物Ａの積載時に、蓋部３を確実に係止することができ、排出時には開口手段６によって、地面から操作することにより、その都度、作業員が荷台の受け入れ容器Ｙや、作業現場に設置された受け入れ容器Ｙに登って作業をする必要がない極めて有益なる効果を奏する。
【図面の簡単な説明】
【００１１】
【図１】この発明の一実施例を示し、（ａ）は側面図、（ｂ）は一部欠截側面図である。
【図２】この発明の一実施例を示す正面図である。
【図３】この発明の使用状態を示す説明図である。
【図４】この発明の使用状態を示す説明図である。
【図５】この発明の他の実施例を示す一部欠截側面図である。
【図６】この発明の他の実施例を示す一部欠截正面図である。
【図７】この発明の他の使用状態を示す一部欠截側図面である。
【図８】この発明のさらに他の実施例を示す一部欠截側面図である。
【図９】この発明のさらに他の実施例を示す一部欠截正面図である。
【図１０】この発明のさらに他の使用状態を示す一部欠截側面図である。
【図１１】この発明のさらに他の実施例を示す一部欠截側面図である。
【図１２】この発明のさらに他の実施例を示す一部欠截正面図である。
【図１３】この発明のさらに他の使用状態を示す一部欠截側面図である。
【発明を実施するための状態】
【００１２】  以下、この発明の好適な実施の形態として詳細に説明すると。尚、この発明においては、以下の記述に限定されるものではなく、この発明の要旨を逸脱しない範囲においては適宜変更可能である。
【実施例】
【００１３】  次に、この発明の一実施例を図１〜図４に基づいて詳述すると、昇降機能を有する運搬用車両Ｘに搭載する有形物回収用の容器であって、有底で上部を開放し、前面に蓋部３を有する可動容器本体１を設け、該可動容器本体１は、底部に運搬用車両Ｘに搭載する搭載手段２ａを備えた枠体２で取り囲まれ、該可動容器本体１の底部１ａは後部より前に位置する蓋部３方向に向かって下降する傾斜面に形成し、該可動容器本体１は該可動容器本体１を取り囲む前記枠体２の両側部２ｂ、ｂ２’に回動可能に軸着され、且つ、該可動容器本体１の蓋部３は枠体２の両側部の上端部２ｃ、２ｃ’で回動可能に軸着され、有形物Ａの回収時に前記蓋部３は、該蓋部３は枠体２に係止した係止手段５により閉塞しておき、有形物Ａの開放時には開口手段によって開放し、有形物Ａを、車両の荷台あるいは受け入れ容器等の受入れ容器Ｙに排出し、且つ、有形物Ａを排出後には、蓋部３は該蓋部３の自重により自動的に閉口、あるいは、少し、蓋部３を押圧することにより閉口することを特徴とする昇降機能付き車両搭載用容器における蓋の開閉構造から構成される。【００１４】  さらに、この発明は、昇降機能を有する運搬用車両Ｘに搭載するごみ回収用の容器であって、有底で上部を開放し、前面に蓋部３を有する可動容器本体１を設け、該可動容器本体１の底部１ａには、運搬用車両Ｘに搭載する搭載手段２ａを備えた枠体２で取り囲まれ、該可動容器本体１の蓋部３が、該蓋部３の両側部の上端部２ａ、２ａ‘に設けた軸４ｆとそれぞれリンクアーム４ａと軸アーム４ｂをリンク軸４ｃで軸支したリンク機構４を介して可動容器本体１に回動可能に軸着されることを特徴とする昇降機付き車両搭載用容器における蓋の開閉構造である。【００１５】  また、さらに、この発明は、昇降機能を有する運搬用車両Ｘに搭載するごみ回収用の容器であって、有底で上部を開放し、前面に蓋部３を有する可動容器本体１を設け、該可動容器本体１の底部には、運搬用車両Ｘに搭載する搭載手段２ａを備えた枠体２で取り囲まれ、該可動容器本体１の蓋部３が、ステアリングバー４ｄを介して、枠体２の両側部の上端部２ｃ、２ｃ‘と、蓋部３のやや下方に回動可能に軸着されたことを特徴とする昇降機能付き車両搭載用容器における蓋の開閉構造である。【００１６】  そして、可動容器本体１の蓋部３は、例えば、格子状の枠材で形成し、この枠材にエキスバンドメタルや金網状の素材を用いれば、該可動容器本体１内に積載された有形物Ａの積載状態がよく外部から確認できる。【００１７】  なお、前記枠体２の両側部２、２‘に該可動容器本体１を軸着する位置αα’が可動容器本体１の後部部分で、且つ、該可動容器本体１の底部１ａの傾斜面の頂部１ｂ近傍に設けることを特徴とする昇降機能付き車両搭載用容器における蓋の開閉構造である。尚、前記枠体２の上端部後部にはストップパー８を設け、有形物（Ａ）排出後に、開口した該可動容器本体１が元の位置に戻る際、必要以上移動しないよう制限するものである。【００１８】  前記枠体２に、該フック本体５ｂとフックハンドル５ｃからなるフック装置５ａの中央部を、フック装軸５ｄとして、回動自在に軸支し、フック装置５ａの先端には、蓋部３に設けた受��３ａを係止する係止爪５ｅを設け、フックハンドル５ｃを形成したものである。【００１９】  図１ｂに示すように、フック装置５ａ後部５ｆ付近を、押圧する棒材Ｃである。又、９は、可動容器位置決車輪であり、前記可動容器本体１の底部に装着されており、フォークリフトＸの昇降動作により該車輪９が地面に当接することにより該可動容器本体１が上方向に押し戻され、その結果、リンク機構４や係止手段５に連動して蓋部３を押し下げ係止爪５ｅに係止され、固定されるものである。【００２０】  尚、前記の昇降機能を有する運搬用車両Ｘとは、具体的には、作業用に用いられている公知のフォークリフトであるが、このフォークリフトに限定されることはなく、要するに、昇降機能を有する運搬用車両であれば、特に限定はされない。【００２１】  また、前記リンク機構４の他の実施例を、図５〜７に基づいて説明すると、可動容器本体１の上端部付近にステアリングバー４ｄを設け、該バー４ｄの一端を該可動容器本体１の側面に回動可能に軸着し、他端を蓋部３の側面であって、蓋軸４ｆよりやや下方に回動可能に軸着するものである。【００２２】  また、蓋部３は、閉塞時には、前記可動容器本体１に、係止手段５によって係止されているが、有形物Ａを排出する際にはスムーズに排出されるよう、蓋部３は大きく開口する必要がある。そのため、この発明の一実施例である開放手段１０を図８〜１０に基づいて説明すると、該可動容器本体１側に容器側スプロケット歯車１１ａを設け、蓋部３側に蓋側スプロケット歯車１１ｂを設け、チェーン１１ｃを巻回しておくことにより、蓋部３が係止手段５である係止爪５ｅを、開口手段６であるロープＢや棒材Ｃでフックハンドル５ｃの後部を下降することにより開口した際に、蓋部３が自重により大きく開口し、有形物Ａ排出後に、開口した蓋部３を該可動容器本体１側に押圧することより、元とおり、閉塞されるものである。【００２３】  さらに、この発明の他の実施例である開放手段１０を、図１１〜１３に基づいて説明すると、該動可容器本体１側に容器側歯車１２ａを設け、蓋部３側に蓋部側１２ｂを設け、これら両歯車１２ａ、１２ｂを噛みあわせることにより、蓋３が係止手段５である係止爪５ｅを、開口手段６であるロープＢや棒材Ｃでフックハンドル５ｃを下降に押し圧することにより開口した際に、蓋部３が自重により大きく開口し、有形物Ａ排出後に、開口した蓋部３を該可動容器本体１側に押圧すれば、元とおり、閉塞されるものである。【００２４】  該可動容器本体１は該可動容器本体１を取り囲む前記枠体２に回動可能に軸着され、可動容器本体１と蓋部３とがリンク機構で連結し、キャスターの接地面から上昇時には係止手段から解放状態の時は、可動容器本体１と蓋部３の重量とバランスで蓋部３が開く、また、フックハンドル５ｃの後部をバネでハンドルストッパー５ｇの方向に引張り、フックハンドル５ｃをハンドルストッパー５ｇに当てフック装置を受け止めておき、蓋３の開放時には、枠体２を上昇して、フックハンドル５ｃの後部を押し圧し、フック装置５ａは回転し受け具３ａから解放され蓋部３は開き、蓋部３の閉塞する時は、枠体２が下降することにより、可動容器本体１前部の下部にキャスター９取付ら��たキャスター９は接地面に接地し、さらに、下降し、可動容器本体１はキャスター９が接地面からの押上圧力により押し上げられ、可動容器本体１と蓋部３はリンク機構４で連結されており、可動容器本体１は回転上昇し蓋部３も同様回転して蓋部３は閉り、やがて、係止手段５により係止され枠体２も着地し、元の状態に閉塞復帰する実施例を示すものである。
【符号の説明】
【００２５】１  可動容器本体
１ａ  底部
２  枠体
２ａ  搭載手段
２ｂ、２ｂ’  枠体の側部
２ｃ、２ｃ’  枠体上端部
３  蓋部
３ａ  受け具
４  リンク機構
４ａ  フック装置
４ｂ  蓋アーム
４ｃ  リンク軸
４ｄ  ステアリングバー
４ｅ  可動容器リンク側軸
４ｆ  蓋軸
５  係止手段
５ａ  フック装置
５ｂ  フック本体
５ｃ  フックハンドル
５ｄ  フック軸
５ｅ  係止爪
５ｆ  後部
５ｇ  ハンドルストッパー
６  開口手段
７  バネ
８  ストッパー
９  キャスター
１０  開放手段
１１ａ  容器側スプロケット歯車
１１ｂ  蓋側スプロケット歯車
１１ｃ  チェーン
１２ａ  容器側歯車
１２ｂ  蓋部側歯車
Ａ  有形物
Ｂ  ロープ
Ｃ  棒材
【図１】
2019156638.tif 000003
【図２】
2019156638.tif 000004
【図３】
2019156638.tif 000005
【図４】
2019156638.tif 000006
【図５】
2019156638.tif 000007
【図６】
2019156638.tif 000008
【図７】
2019156638.tif 000009
【図８】
2019156638.tif 000010
【図９】
2019156638.tif 000011
【図１０】
2019156638.tif 000012
【図１１】
2019156638.tif 000013
【図１２】
2019156638.tif 000014
【図１３】
2019156638.tif 000015